(57)【要約】【課題】自車両と他車両との通信性能が低下した場合であっても、自車両と他車両との相対位置関係を制御することが可能な車両制御システムを提供する。【解決手段】自車両と他車両との間の通信障害の有無を判定し、通信障害が発生していない通常時には自車両の加減速プロファイルを送信し、通信障害が発生している場合には自車両の位置情報のみを送信する構成とする。これにより、通信性能が低下した場合にあっても通信量を減らして通信性能を確保することができる。そのため、受信側の制御車両は、受信した情報に基づいて自車両と他車両との相対位置関係を制御することができる。【選択図】図７
2011028639.tif 000002
【特許請求の範囲】
【請求項１】
自車両と、当該自車両と通信可能な先行車又は後続車である他車両との相対位置関係を制御して交通流を制御する車両制御システムにおいて、
自車両の加減速制御に関する情報である加減速プロファイルを前記他車両に送信する情報送信手段と、
自車両と前記他車両との間の通信障害の有無を判定する通信状態判定手段と、を備え、
前記情報送信手段は、通常時に前記加減速プロファイルを送信し、前記通信状態判定手段によって通信障害有りと判定された場合に自車両の位置情報のみを送信することを特徴とする車両制御システム。
【請求項２】
複数の他車両から位置情報を受信した場合に、受信した他車両の前記位置情報に基づいて、自車線前方の最も自車に近い他車両を制御対象車両として認識する制御対象車両認識手段と、
前記制御対象車両から出力された加減速プロファイルに基づいて、自車両と当該制御対象車両である他車両との相対位置関係を制御する走行制御手段と、を備えることを特徴とする請求項１記載の車両制御システム。
【請求項３】
他車両の位置情報のみを受信した場合に、受信した他車両の位置情報、過去に受信した加減速プロファイル、及び当該加減速プロファイルの受信時刻からの経過時間に基づいて、前記他車両の加減速プロファイルを推定する加減速プロファイル推定手段を備える請求項１又は２記載の車両制御システム。
【請求項４】
通信障害有りと判定された場合に、送信可能であった加減速プロファイルに基づいて自車両の走行を制御する請求項１〜３の何れか一項に記載の車両制御システム。
【請求項５】
前記加減速プロファイルとして、自車両の現在位置、現在の速度、目標地点の位置、当該目標地点における制御目標速度、速度制御を開始する位置、速度変化勾配に関する情報を算出する加減速プロファイル算出手段を備えることを特徴とする請求項１〜４の何れか一項に記載の車両制御システム。
【発明の詳細な説明】
【技術分野】
【０００１】
本発明は、車車間通信可能な他車両と自車両との相対位置関係を制御することで、自車両と他車両との間の交通流を制御する車両制御システムに関するものである。
【背景技術】
【０００２】
従来、個々の車両の走行を制御することにより、道路の交通量を改善し、渋滞を緩和する試みがなされている。例えば、特許文献１では、走行道路前方の勾配の変化を検出し、サグ（上り坂への変化点）付近等で、走行道路前方に勾配の変化が検出されたら、車間距離制御から車速制御へ切り換えることで、車速変動を抑制している。
【先行技術文献】
【特許文献】
【０００３】
【特許文献１】特開２００２−１３７６５２号公報
【発明の概要】
【発明が解決しようとする課題】
【０００４】
しかしながら、上記特許文献１に記載の技術では、自車両と当該自車両と通信可能な他車両との間で連携を取りながら互いの車間距離や車速を制御しようとした場合、一方の車両の加減速等によって通信性能が低下し通信による連携が取れなくなるおそれがある。
【０００５】
本発明は、このような課題を解決するために成されたものであり、自車両と他車両との通信性能が低下した場合であっても、自車両と他車両との相対位置関係を制御することが可能な車両制御システムを提供することを目的とする。
【課題を解決するための手段】
【０００６】
本発明による車両制御システムは、自車両と、当該自車両と通信可能な先行車又は後続車である他車両との相対位置関係を制御して交通流を制御する車両制御システムにおいて、自車両の加減速制御に関する情報である加減速プロファイルを他車両に送信する情報送信手段と、自車両と他車両との間の通信障害の有無を判定する通信状態判定手段と、を備え、情報送信手段は、通常時に加減速プロファイルを送信し、通信状態判定手段によって通信障害有りと判定された場合に自車両の位置情報のみを送信することを特徴としている。
【０００７】
このような車両制御システムによれば、自車両と他車両との間の通信障害の有無を判定し、通信障害が発生していない通常時に自車両の加減速プロファイルを送信し、通信障害が発生している場合に自車両の位置情報のみを送信するので、通信性能が低下した場合にあっても通信量を減らして通信性能を確保し、受信した情報に基づいて自車両と他車両との相対位置関係を制御することができる。
【０００８】
また、他車両の加減速制御に関する情報である加減速プロファイルを受信する情報受信手段と、複数の他車両から位置情報を受信した場合に、受信した他車両の位置情報に基づいて、自車線前方の最も自車に近い他車両を制御対象車両として認識する制御対象車両認識手段と、制御対象車両である他車両と自車両との間に存在する車両の減速伝播の予測情報に基づいて、制御対象車両である他車両と自車両との相対位置関係を制御する走行制御手段とを備えることが好ましい。
【０００９】
また、他車両の位置情報のみを受信した場合に、受信した他車両の位置情報、過去に受信した加減速プロファイル、及び当該加減速プロファイルの受信時刻からの経過時間に基づいて、他車両の加減速プロファイルを推定する加減速プロファイル推定手段を備えることが好ましい。
【００１０】
また、通信障害有りと判定された場合に、送信可能であった加減速プロファイルに基づいて自車両の走行を制御することが好適である。
【００１１】
また、加減速プロファイルとして、自車両の現在位置、現在の速度、目標地点の位置、当該目標地点における制御目標速度、速度制御を開始する位置、速度変化勾配に関する情報を算出する加減速プロファイル算出手段を備えることが好ましい。
【発明の効果】
【００１２】
本発明の車両制御システムによれば、自車両と他車両との通信性能が低下した場合であっても、自車両と他車両との相対位置関係を制御することが可能な車両制御システム
【図面の簡単な説明】
【００１３】
【図１】実施形態に係る車両制御装置の構成を示すブロック図である。
【図２】サグ渋滞を模式的に示す図である。
【図３】ＥＣＵで実行される制御処理を示すフローチャートである。
【図４】交通流率及び平均速度の関係を示すグラフである。
【図５】速度及び車頭距離の関係を示すグラフである。
【図６】システム搭載車両及び非システム搭載車両を含む交通流を示す模式図である。
【図７】実施例に係る制御処理を示すフローチャートである。
【図８】他の実施例に係る制御を説明するための模式図である。
【発明を実施するための形態】
【００１４】
以下、図面を参照して本発明の実施形態に係る車両制御システムを説明する。本実施形態の車両制御システムは、本システムが適用される車両制御装置を搭載した複数の車両同士の相対位置関係を制御することで、交通流の改善するためのシステムである。図１に示すように、本実施形態の車両制御装置１０は、車車間通信機１２、路車間通信機１４、ナビゲーションシステム１６、各種センサー１８、ＥＣＵ（Electronic  Control  Unit）２０及びＡＣＣ（Adaptive  Cruise  Control）３０を備えている。以下、車両制御装置１０を搭載した車両を「システム搭載車両」ともいう。また、図２、図６及び図８に示すシステム搭載車両１００Ｂを自車両として説明する。
【００１５】
車車間通信機１２は、車車間通信により自車両１００Ｂ以外のシステム搭載車両１００Ａ，１００Ｂの位置、速度あるいは渋滞を防止する車両制御をONあるいはＯＦＦにしているか否かといった情報を相互に送受信するためのものである。
【００１６】
路車間通信機１４は、光ビーコン通信機等の路側施設から道路の交通量や道路を走行する車両の車速等の情報を受信するためのものである。本実施形態においては、路車間通信機１４は必ずしも必須の構成ではない。
【００１７】
ナビゲーションシステム１６は、複数のＧＰＳ（Global  Positioning  System）衛星からの信号をＧＰＳ受信機で受信し、各々の信号の相違から自車両の位置を測位するＧＰＳと、自車両内の地図情報を記憶させた地図情報ＤＢ（Data  Base）とから構成されている。ナビゲーションシステム１６は、自車両の経路案内を行う他、自車両前方のサグ５２０（図２参照）等の車速の低下が誘発されている地点に関する情報を取得するためのものである。例えば、ナビゲーションシステム１６は、自車両のサグに対する相対位置を検出して、ＥＣＵ２０に出力する。
【００１８】
各種センサー１８は、例えば、自車速を検出するための車輪速センサー、自車両の加速度を検出するための加速度センサー（Ｇセンサー）、自車両が走行する車線を検出するための白線認識カメラ（前方撮像カメラ）などである。
【００１９】
ＥＣＵ２０は、ナビゲーションシステム１６からの自車両１００Ｂのサグ５２０に対する相対位置に関する情報、及びＡＣＣ３０のレーダ３２からの自車両１００Ｂ周辺の他車両の相対位置と相対速度とに関する情報を入力する。また、ＥＣＵは、ナビゲーションシステム１６及びＡＣＣ３０から入力された情報に基づいて、ＡＣＣ３０に対し、目標車速、加減速Ｇ及び目標車間距離といった走行制御指令値を出力する。
【００２０】
ＥＣＵ２０は、演算処理を行うＣＰＵ、記憶部２１となるＲＯＭ及びＲＡＭ、入力信号回路、出力信号回路、電源回路などにより構成されている。ＥＣＵ２０では、記憶部に記憶されたプログラムを実行することで、制御対象車両認識部２２、通信制御部２３、走行制御部２４などが構成される。
【００２１】
制御対象車両認識部２２は、例えば車車間通信機１２によって受信した他車両の位置情報に基づいて、自車両前方の同一車線上の最も近いシステム搭載車１００Ａを、制御対象車両として認識する。なお、制御対象車両は、その他の条件によって選定してもよい。
【００２２】
車両制御装置１０では、制御対象車両１００Ａから出力された各種情報を受信する。制御対象車両から出力された各種情報としては、制御対象車両１００Ａの現在位置／速度に関する情報、制御上の目標地点の位置（以下、「目標位置」ともいう。例えば、サグ５２０など）／制御対象車両１００Ａの目標位置における制御目標速度（以下、「目標速度」ともいう。）に関する情報、制御対象車両１００Ａが減速を開始する位置（以下、「減速開始位置」ともいう。）に関する情報、減速開始位置から目標位置までの減速勾配（減速度）に関する情報などを受信する。なお、車両の現在位置／速度、目標位置／速度、減速開始位置、減速度に関する情報を、「減速プロファイル」という。減速プロファイルは、車両の減速制御に関する情報であり、車両の挙動などに関する情報などその他の情報を含んでいてもよい。受信した制御対象車両の減速プロファイルは、記憶部２１に記憶される。
【００２３】
走行制御部２４では、制御対象車両から出力された減速プロファイルに基づいて、制御対象車両の現在位置／速度、目標位置／速度、減速開始位置、減速度などを認識する。走行制御部２４では、これらの情報に基づいて、自車両１００Ｂの減速度、減速開始位置などを設定する。例えば、走行制御部２４では、サグ５２０手前から減速制御を開始して、サグ５２０に至った時点で、速度、制御対象車両１００Ａとの車間距離Ｌ２が目標値となり、かつ、自車両１００Ｂの直前を走行する前車２００Ｂとの車間距離Ｒ２が目標値まで広がっているように自車両１００Ｂの走行を制御する。
【００２４】
走行制御部２４では、制御対象車両１００Ａからのデータ受信状態が悪化した場合には、それまでに得られた制御対象車両１００Ａの各種情報（位置、速度、減速度情報）から制御対象車両の現在位置を推測する推測制御モードに移行し、減速制御を続行する。走行制御部２４は、推測制御モードに移行した場合（他車両の位置情報のみを受信した場合）に、受信した他車両の位置情報、過去に受信した他車両の加減速プロファイル、及び当該加減速プロファイルの受信時刻からの経過時間に基づいて、他車両の加減速プロファイルを推定する加減速プロファイル推定手段として機能する。
【００２５】
推測制御モードに移行した場合、制御対象車両１００Ａでは、減速開始位置、減速度、目標速度といった減速プロファイルを現状のまま固定して、制御対象車両１００Ａ自身の制御を続行する。制御対象車両１００Ａでは、過去の減速プロファイルを維持する一方で、新たな減速プロファイルの算出を継続し、制御車両１００Ｂに対して減速プロファイルを送信する。
【００２６】
制御車両の走行制御部２４では、通信状態が改善された時点で、新たに受信した減速プロファイルに基づいて、推測された制御対象車両の位置に関する情報を補正する。一方、制御対象車両の走行制御部では、減速プロファイルの送信が成功した時点で新たな減速プロファイルに基づいて、制御対象車両自身の制御を続行する。
【００２７】
通信制御部２３は、自車両と他車両との間の通信障害の有無を判定する通信状態判定手段として機能する。また、通信制御部２３は、自車両と他車両との間の通信を制御する通信制御手段として機能する。通信制御部２３は、制御対象車両１００Ａから出力された減速プロファイルを受信したときの受信状態に関する情報を制御対象車両１００Ａに対して返信する。通信制御部２３は、通常制御モード／推測制御モードのどちらで制御を実行しているかなどのモニタ値を制御対象車両に対して返信する。
【００２８】
通信制御部２３は、通常時（通常制御モード実行時）に自車両の減速プロファイルを送信する。通信制御部２３は、通信障害が発生している場合に、自車両の位置情報のみを送信する。制御対象車両１００Ａでは、制御車両１００Ｂの推測制御モードへの移行を確認したときに、自車両と他車両との間で通信障害がある（通信性能が低下している）と判定し、制御車両１００Ｂに対して、現在の位置情報のみを繰り返し送信する。
【００２９】
以下、本実施形態の車両制御システム（車両制御装置）の動作について説明する。まず、前提として、サグ５２０等で渋滞が発生する原因について説明する。例えば、先行する一般車両の減速で車間距離が詰まると、後続の一般車両も先行車両との車間距離を維持するため減速する。この場合、後続車両は先行車両よりも低い速度までの減速が必要であるため、減速が先行車両から後続車両に増幅しつつ伝播する減速伝播が生じ渋滞となる。
【００３０】
図２では、制御対象となるサグ渋滞を模式的に示している。図２では、車両１００Ａ，１００Ｂが、車両制御装置１０を搭載したシステム搭載車両であり、車両２００Ａ〜２００Ｃが車両制御装置１０を搭載していない一般車両である。図２に示す状態では、先頭からシステム搭載車両１００Ａ、一般車両２００Ａ，２００Ｂ、システム搭載車両１００Ｂ、一般車両２００Ｃが順に走行している。図２（ａ）では、サグ５２０手前を走行している状態、図２（ｂ）では、サグ通過後の状態を示している。
【００３１】
図３は、車両制御装置のＥＣＵで実行される制御処理を示すフローチャートである。車両制御装置１０では、まず、路上の交通監視システムなどの情報から、交通流量を把握し、交通量が少ないときには、渋滞回避制御を行わないようにする。以下、システム搭載車両１００Ｂを制御車両（自車両）、システム搭載車両１００Ａを制御対象車両（他車両）として説明する。
【００３２】
まず、車両制御装置１０では、自車両１００Ｂが走行する道路の交通流量に関する情報、自車位置からサグ５２０までの距離に関する情報を取得する（Ｓ１）。ここでは、例えば、路上の交通監視システムから出力された情報を、路車間通信機１４を用いて受信し、交通流量、サグ５２０までの距離を取得する。
【００３３】
続くステップ２では、ＥＣＵ２０は、自車両１００Ｂが走行する道路（車線）の交通流量が判定閾値より大きいか否かを判定する。交通量が判定閾値より大きいと判定された場合には、ステップ３に進み、交通量が判定閾値より大きいと判定されなかった場合には、処理を終了する。
【００３４】
ステップ３では、車両制御装置１０は、ＧＰＳ測位センサー、車輪速センサー、前方撮像カメラなどの計測装置によって、自車両１００Ｂの位置、車線、速度を検出する。
【００３５】
次に、システム搭載車両１００Ａ，１００Ｂは、検出したデータ（自車位置、自車線、自車速に関する情報）を、車車間通信機１２を用いて送信、受信する（Ｓ４）。
【００３６】
そして、自車両１００ＢのＥＣＵ２０では、受信したデータに基づいて、自車両１００Ｂと同一車線上の前方に存在するシステム搭載車両１００Ａを制御対象車両として認識する（Ｓ５）。
【００３７】
次に、制御対象車両１００Ａ及び制御車両１００Ｂ間に存在する一般車両（非システム搭載車両）２００Ａ，２００Ｂの台数Ｘ（２台）と、平均車間距離Ｄ１を推定する。ここでは、路上の交通監視システムによって直接測定された値を用いることができる。また、現在の自車速Ｖ１でもっとも車間距離つまっていると仮定し、速度と車間距離との関係の統計データ（図５参照）に基づいて、その速度での最も車間がつまった値を平均車間距離Ｄ１として推定しても良い。また、台数Ｘは、車車間通信によって取得した車両１００Ａ，１００Ｂ間の車間距離を平均車間距離Ｄ１で割ること推定することができる。
【００３８】
次に、走行制御部２４では、目標位置であるサグ５２０における目標速度Ｖ２、前車２００Ｂとの車間距離の目標値Ｒ２を算出する。目標速度Ｖ２は、速度と交通流量との関係の統計データ（図４参照）に基づいて、交通流量が最大となる速度を算出する。ここでは、例えば、約６０ｋｍ／ｈとなる。目標車間距離Ｒ２は、減速が伝播しない距離とすることが好ましく、時速６０ｋｍ／ｈの場合、一般的に約６０ｍの車間距離が必要とされている。
【００３９】
目標位置であるサグ５２０におけるシステム搭載車両１００Ａ，１００Ｂの車間距離Ｌ２は、車間距離（Ｌ２）＝一般車両台数（Ｘ）×平均車間距離（Ｄ２）＋目標車間距離（Ｒ２）…（１）によって算出することができる。
【００４０】
次に、制御車両１００Ｂの車両制御装置１０は、制御対象車両１００Ａの現在位置／速度、目標位置／速度、減速Ｇ（減速度）などの減速プロファイルを受信する。走行制御部２４は、受信した減速プロファイルに基づいて、目標位置であるサグ５２０において、システム搭載車両１００Ａ，Ｂの車間距離が目標車間距離Ｌ２となるように、減速開始位置、減速Ｇを決定する（Ｓ６）。
【００４１】
次に、ＥＣＵ２０では、自車両１００Ｂの現在の車速−目標車速が閾値より小さいか否かを判定する（Ｓ７）。自車両１００Ｂの現在の車速−目標車速が閾値より小さいと判定された場合には、ステップ８に進み、自車両１００Ｂの現在の車速−目標車速が閾値より小さいと判定されなかった場合には、処理を終了する。
【００４２】
ステップ８では、減速開始位置更新処理（例えば図７に示す制御目標値更新処理）を行う。詳しくは後述する。
【００４３】
続くステップ９では、自車両１００Ｂが減速開始位置に到達したか否かを判定する。例えば、ＧＰＳ測位センサーからの情報に基づいて、自車位置を認識し、減速開始位置に到達したか否かを判定する。減速開始位置に到達していない場合には、ステップ８に戻り、減速開始位置に到達した場合には、ステップ１０に進み、所定の減速Ｇで減速制御を開始する。車両制御装置１０は、目標サグ位置５２０で目標速度（Ｖ２）となり制御対象車両１００Ａとの車間距離Ｌ２となるように減速制御を実行する。
【００４４】
次に、ステップ１１では、目標速度更新処理（例えば図７に示す制御目標値更新処理）を行う。詳しくは後述する。
【００４５】
続くステップ１２では現在の自車速が目標速度であるか否かを判定する。現在の自車速が目標速度ではない場合には、ステップ１１に戻り走行制御を継続する。現在の自車速が目標速度である場合に処理を終了する。現在の速度が目標速度以下だった場合には、減速不可となり制御を中止する。
【００４６】
また、上記手順で算出した制御車両１００Ｂの減速プロファイルは、さらに後方のシステム搭載車両に送信される。このような制御処理を行うことによって、システム搭載車両同士の車間距離を順次調整し、交通流を改善して渋滞発生を抑制することができる。
【００４７】
次に、図７を参照して、制御目標値更新処理（減速開始位置更新処理、目標速度更新処理）について説明する。図６では、制御対象となる複数の車両を含む交通流を模式的に示している。図６では、車両１００Ａ〜１００Ｃが、車両制御装置１０を搭載したシステム搭載車両であり、車両２００Ａ〜２００Ｃが車両制御装置１０を搭載していない一般車両である。図６に示す状態では、先頭からシステム搭載車両１００Ａ、一般車両２００Ａ，システム搭載車両１００Ｂ、一般車両２００Ｂ，２００Ｃ、システム搭載車両１００Ｃが順に走行している。システム搭載車両１００Ｃは、その前方のシステム搭載車両１００Ｂに対して相対位置関係を制御し、システム搭載車両１００Ｂは、その前方のシステム搭載車両１００Ａに対して相対位置関係を制御する。ここでは、システム搭載車両１００Ｃを自車両とし、システム搭載車両１００Ｂを制御対象車両とする。
【００４８】
システム搭載車両１００Ｃは、前方のシステム搭載車両１００Ｂの現在位置／速度、目標位置／速度、減速Ｇなどの減速プロファイルを、車車間通信機１２を用いて受信する。車両１００Ｃの車両制御装置１０では、受信した減速プロファイルに基づいて自車両１００Ｃの減速プロファイルを算出し、減速制御を実行する。
【００４９】
自車両１００Ｃが減速中に制御対象車両１００Ｂは、その前方のシステム搭載車両１００Ａに対して制御を実行しており、車両１００Ｂの減速プロファイルは、システム搭載車両１００Ａの挙動によって変化する場合があり、この場合には、自車両１００Ｃは、車両１００Ｂの減速プロファイルが変化するたびに、車両１００Ｂの減速プロファイルを受信して、自車両１００Ｃの減速プロファイルを更新することになる
【００５０】
アドホック型の車車間通信システムでは一般的に通信可能距離が数百ｍと言われている。今回対象としているアプリケーションでは、減速制御により前方車両との車間距離を開けていく制御を行うため、制御中に通信可能距離以上の車間距離となってしまい、途中から減速プロファイルを受信できなくなってしまうおそれがある。
【００５１】
図７は、制御目標値更新処理（減速開始位置更新処理、目標速度更新処理）のフローチャートである。まず、車両１００Ｃの車両制御装置１０は、自車両の位置／速度を検出する（Ｓ２１）。次に、前方の制御対象車両１００Ｂから出力された減速プロファイルを受信する（Ｓ２２）。
【００５２】
次に、通信制御部２３は、受信エラー率＞閾値が成立するか否かを判定する（Ｓ２３）。制御対象車両１００Ｂからの受信エラー率が閾値より大きい場合、走行制御部２４は、推測制御モードに移行し、過去に受信済みの減速プロファイルと受信時刻からの経過時間に基づいて、制御対象車両１００Ｂの位置／速度を推定して、自車両１００Ｃの減速開始位置、減速Ｇを更新して制御を続行する（Ｓ２４）。ただし、通信状態が改善し、制御対象車両１００Ｂの新たな減速プロファイルを受信できた場合には推測値を補正する（Ｓ２５）。
【００５３】
一方、制御対象車両１００Ｂは、さらに前方のシステム搭載車両１００Ａから出力された減速プロファイルを受信し、受信したシステム搭載車両１００Ａの減速プロファイルに基づいて、制御対象車両１００Ｂの減速プロファイルを算出し（Ｓ２６）、減速制御を実行している。
【００５４】
しかし、上述したように、車両１００Ｃと車両１００Ｂとの通信状態が悪化した場合、車両１００Ｂの車両制御装置１０は、新たに算出した減速プロファイルを用いずに、それまでの減速プロファイルで自車両１００Ｂの走行制御を続行する。
【００５５】
そして、車両１００Ｂの車両制御装置１０は、車両１００Ｃとの通信状態が改善し、減速プロファイルの送信の成功を確認（Ｓ２７）した時点で、送信可能となった新しい減速プロファイルに基づいて制御目標値（減速開始位置、目標速度、減速Ｇ）を更新する。
【００５６】
通信状態が改善しなかった場合は、車両１００Ｂは、車両１００Ａに対する柔軟な制御ができないが、車両１００Ａ，１００Ｂ間で通信可能で、車両１００Ｂ，１００Ｃ間で通信範囲外となる場合は、車両１００Ａ，１００Ｂ間に存在する一般車両２００Ａの台数よりも車両１００Ｂ，１００Ｃ間に存在する一般車両２００Ｂ，２００Ｃの方が多いと考えられるので、車両１００Ａ，１００Ｂ間での減速伝播よりも車両１００Ｂ，１００Ｃ間の減速伝播の方が、減速度が大きくなり、車両１００Ｂ，１００Ｃ間の制御を優先した方がより効果的に渋滞を防止することができる。
【００５７】
このような車両制御システムでは、システム搭載車両間の通信障害の有無を判定し、通信障害が発生していない通常時に加減速プロファイルを送信し、通信障害が発生している場合に位置情報のみを送信するので、通信性能が低下した場合にあっても通信量を減らして通信性能を確保し、受信した情報に基づいてシステム搭載車両同士の相対位置関係を制御することができる。これにより、交通流を改善して、渋滞の発生を防止することができる。
【００５８】
次に、他の実施例に係る制御処理について説明する。ここでの制御処理は基本的に図７に示すフローチャートに従う。しかし、上述した実施例に係る制御では、制御車両と制御対象車両との双方が同時に通信状態の悪化を判断する必要がある。これは通信方式がRequest-Ack型の半二重通信であれば、パケットの再送要求回数などで、双方が通信チャネルの状態を同時に把握することができる。しかし、全二重通信の場合では、上りチャネルと下りチャネルの通信状態が異なる場合もあり、また不特定多数にパケットを送付するフラッディング型のパケット通信を行った場合には、減速プロファイルを送信した制御対象車両は、制御車両との受信状態を把握できない。さらに、上述の実施例に係る制御では、受信状態が悪化した時に、時々受信できる情報で推測位置を補正しているが、現在位置／速度、目標位置／速度、減速開始位置／減速度といった減速プロファイルを送信した場合、たまたま受信できたパケットに現在位置の情報が含まれているとは限らない。
【００５９】
そこで、他の実施例に係る制御処理では、図８に示すように通信を行う。通常制御モードでは、制御対象車両１００Ａは、制御車両１００Ｂに減速プロファイルを送信し、一方、制御車両１００Ｂは、制御対象車両１００Ａに受信パケットエラー率もしくは受信ビットエラー率もしくは通常制御モード実行中であることを示すモードフラグを送信する。
【００６０】
制御対象車両１００Ａは、制御車両１００Ｂから出力された情報に基づいて通信性能が低下しているか否か（通信障害の有無）を判定する。受信した受信エラー率が閾値を超えた場合、もしくは、モードフラグに基づいて推測制御モードに移行したことを確信した場合には、制御対象車両１００Ａは、上述した実施例と同様に制御目標値の更新を停止し、かつ、制御車両１００Ｂへの減速プロファイルの送信を停止する。また、通信制御部２３は、低速通信モードとして自車両の現在位置情報のみを全パケットに挿入して制御車両１００Ｂに送信する。
【００６１】
また、車両１００Ａから車両１００Ｂへの通信チャネルの状態が悪化する前に、車両１００Ｂから車両１００Ａへの通信チャネルの状態が悪化してしまい、受信エラー率やモードフラグの変化を受信できない場合もある。そこで、車両１００Ａの通信制御部２３は、車両１００Ｂから車両１００Ａへの通信チャネルのパケットエラー率もしくはビットエラー率も監視しており、この値が閾値以上になった場合も車両制御装置１０は推測制御モードへ移行する。この場合には、車両１００Ｂは車両１００Ａからの減速プロファイルが現在位置情報のみに変更されたことを検知することで、同時に推測制御モードへ移行することができる。
【００６２】
このような通信制御を行う車両制御システムでは、車両１００Ａ，１００Ｂが同時に制御モードを移行することができ、また、車両１００Ａから車両１００Ｂへの全パケットに、現在位置情報を挿入することで、たまにしかパケットを受信できないような状態であっても車両Ｂは、減速プロファイルの補正回数を多くすることができる。その結果、自車両と他車両との通信性能が低下した場合であっても、自車両及び他車両の相対位置関係を制御することができ、交通流を改善することができる。
【００６３】
以上、本発明をその実施形態に基づき具体的に説明したが、本発明は、上記実施形態に限定されるものではない。上記実施形態では、自車両の前方を走行する先行車を制御対象車両と設定し、当該先行車と自車両との相対位置関係を制御しているが、自車両の後方を走行する後続車を制御対象車両と設定して、当該後続車と自車両との相対位置関係を制御する構成でもよい。また、加速制御を行うことで、相対位置関係を制御してもよい。
【符号の説明】
【００６４】
１０…車両制御装置、１２…車車間通信機、１４…路車間通信機、１６…ナビゲーションシステム、２０…ＥＣＵ、２１…記憶部、２２…制御対象車両認識部、２３…通信制御部、２４…走行制御部（走行制御手段、加減速プロファイル算出手段、加減速プロファイル推定手段）、３０…ＡＣＣ、３２…レーダ。
【図１】
2011028639.tif 000003
【図２】
2011028639.tif 000004
【図３】
2011028639.tif 000005
【図４】
2011028639.tif 000006
【図５】
2011028639.tif 000007
【図６】
2011028639.tif 000008
【図７】
2011028639.tif 000009
【図８】
2011028639.tif 000010